(57)【要約】【課題】  器具本体の前面側に対して集中的に加湿空気を送風可能な美容加湿装置及びアタッチメントルーバーを提供する。【解決手段】  本体ルーバー４０に送風口２８と平行な位置で対向しており、本体ルーバー４０が６０°で係止している時、前面側縁４６から先端が突出しないように形成された風向案内面部４５を備えたアタッチメントルーバー４２を装着した状態でミスト運転を実施すると、送風口２８から天面３８と垂直な方向へ送風された加湿空気が風向案内面部４５によって天面３８と平行な方向に案内され、器具本体１の前面側に多量の加湿空気が送風されることで、器具本体１の前面側の送風口２８付近に顔を近づけてミスト運転を実施すると、顔に対して加湿空気を集中的に当て続けることができるため、ナノミストと負イオンを含んだ加湿空気を肌に浸透させ、肌にハリ感を出すことができる。【選択図】  図１
2015108483.tif 000002
【特許請求の範囲】
【請求項１】
器具本体と、該器具本体の天面に形成された送風口と、該送風口の上部に設置され上下方向に回動することで風向調節が可能なルーバーと、前記器具本体内にあり水を貯留する貯水室と、該貯水室内の水を破砕してナノミストと負イオンを発生させるミスト発生部と、該ミスト発生部で発生したナノミストと負イオンを含んだ加湿空気を前記送風口から前記天面に対して垂直な方向へ送風する送風ファンと、該送風ファンにより前記ミスト発生部で発生したナノミストと負イオンを含んだ加湿空気を送風するミスト運転を実施する制御部とを備え、前記ルーバーは、前記送風口近傍にある前記ルーバーの回動軸位置から平板状に延伸して設けられた平板部と、該平板部の先端から前記器具本体の前面側に向けて屈曲されて設けられた風向案内面部とで構成されたことを特徴とする美容加湿装置。
【請求項２】
前記風向案内面部は、幅方向の中央から両端へ向かって下り傾斜しているアーチ形状であることを特徴とする請求項１記載の美容加湿装置。
【請求項３】
前記風向案内面部は、アーチ形状の曲率が１／１２０よりも大きくなるように形成されたことを特徴とする請求項２記載の美容加湿装置。
【請求項４】
前記風向案内面部は、該風向案内面部の先端が前記器具本体の前面側縁から突出しない奥行きとされていることを特徴とする請求項２又は３に記載の美容加湿装置。
【請求項５】
前記ルーバーは、前記器具本体側に回動自在となるように設けられた前記平板部より構成された本体ルーバーと、該本体ルーバーに着脱自在に設けられ、前記風向案内面部を有するアタッチメントルーバーとで構成されていることを特徴とする請求項１から４のいずれか一項に記載の美容加湿装置。
【請求項６】
器具本体の送風口に設置された平板状の本体ルーバーに着脱可能であり、前記本体ルーバーに装着した時、前記本体ルーバーの先端から前記器具本体の前面側に向けて屈曲されて設けられた風向案内面部を有したアタッチメントルーバー。
【請求項７】
前記風向案内面部は、幅方向の中央から両端へ向かって下り傾斜しているアーチ形状であることを特徴とする請求項６記載のアタッチメントルーバー。
【請求項８】
前記風向案内面部は、アーチ形状の曲率が１／１２０よりも大きくなるように形成されたことを特徴とする請求項７記載のアタッチメントルーバー。
【請求項９】
前記風向案内面部は、装着時に前記風向案内面部の先端が前記器具本体の前面側縁から突出しない奥行きとされていることを特徴とする請求項７又は８に記載のアタッチメントルーバー。
【発明の詳細な説明】
【技術分野】
【０００１】
この発明は、ナノミストと負イオンを含んだ加湿空気を発生させ、所定の方向へ送風する美容加湿装置及びアタッチメントルーバーに関するものである。
【背景技術】
【０００２】
従来、この種のものにおいて図１１で示すものがあり、１０１は器具本体、１０２は該器具本体１０１の上部を形成する天面、１０３は該天面１０２上の器具本体１０１の前面側に形成された送風口、１０４は該送風口１０２上に設置され、側面板１０５を支軸にして上下方向に回動することで開閉及び風向の調節が可能なルーバーであり、前記器具本体１０１内には、ナノミストと負イオンを含んだ加湿空気を発生させるミスト発生部と、該ミスト発生部で発生した加湿空気を送風する送風ファンが備えられている。
【０００３】
これにより、ミスト発生部で発生させた加湿空気を送風ファンによって器具本体内の流通路を通過させて送風口１０３から天面１０２と垂直な方向へ送風することで、室内へナノミストと負イオンを含んだ加湿空気を送風することができる。また、ルーバー１０４の角度を調節して加湿空気の送風方向を変化させ、器具本体１０１の前面側に加湿空気が多く送風されるようにしてから、器具本体１０１の前面側で天面１０２と平行な位置に顔を近づけることにより、顔に対して加湿空気を集中して送風してナノミストを肌に浸透させて肌にハリを与えることができる。（例えば、特許文献１）
【先行技術文献】
【特許文献】
【０００４】
【特許文献１】特開２０１２−１２７５８９号公報
【発明の概要】
【発明が解決しようとする課題】
【０００５】
しかし、この従来のものでは、器具本体の前面側で天面と平行な方向へ加湿空気を送風するためにルーバーの角度を調節しても、天面に対して斜め方向もしくは垂直方向にしかルーバーの角度を変更できないため、送風口から天面に対して垂直方向に送風される加湿空気の全てを器具本体の前面側で天面と平行な方向に対して案内することができず、器具本体の前面側で天面と平行な位置にある顔に対して集中的に当て続けられる加湿空気の量について改善の余地があった。
【課題を解決するための手段】
【０００６】
上記課題を解決するために、本発明では、器具本体と、該器具本体の天面に形成された送風口と、該送風口の上部に設置され上下方向に回動することで風向調節が可能なルーバーと、前記器具本体内にあり水を貯留する貯水室と、該貯水室内の水を破砕してナノミストと負イオンを発生させるミスト発生部と、該ミスト発生部で発生したナノミストと負イオンを含んだ加湿空気を前記送風口から前記天面に対して垂直な方向へ送風する送風ファンと、該送風ファンにより前記ミスト発生部で発生したナノミストと負イオンを含んだ加湿空気を送風するミスト運転を実施する制御部とを備え、前記ルーバーは、前記送風口近傍にある前記ルーバーの回動軸位置から平板状に延伸して設けられた平板部と、該平板部の先端から前記器具本体の前面側に向けて屈曲されて設けられた風向案内面部とで構成されたものを特徴としている。
【０００７】
また、前記風向案内面部は、幅方向の中央から両端へ向かって下り傾斜しているアーチ形状であるものを特徴としている。
【０００８】
また、前記風向案内面部は、アーチ形状の曲率が１／１２０よりも大きくなるように形成されたものを特徴としている。
【０００９】
また、前記風向案内面部は、該風向案内面部の先端が前記器具本体の前面側縁から突出しない奥行きとされているものを特徴としている。
【００１０】
また、前記ルーバーは、前記器具本体側に回動自在となるように設けられた前記平板部より構成された本体ルーバーと、該本体ルーバーに着脱自在に設けられ、前記風向案内面部を有するアタッチメントルーバーとで構成されているものを特徴としている。
【発明の効果】
【００１１】
この発明の美容加湿装置のルーバーは、送風口近傍にあるルーバーの回動軸位置から平板状に延伸して設けられた平板部と、該平板部の先端から器具本体の前面側に向けて屈曲されて設けられた風向案内面部とで構成されたので、器具本体の前面側で送風口と平行な方向に対して集中して多量の加湿空気を送風し、器具本体の前面側で天面と平行な位置にある顔に対して加湿空気をより多く浴びせることができるため、ナノミストと負イオンを含んだ加湿空気を効率よく肌に浸透させ、肌にハリ感を出すことができる。
【００１２】
また、風向案内面部は、幅方向の中央から両端へ向かって下り傾斜しているアーチ形状であり、該アーチ形状の曲率が１／１２０よりも大きくなるように形成されたので、送風口から送風された加湿空気によって風向案内面に付着した結露水が滴下することなく幅方向の両端へ案内されるため、器具本体の前面側の天面を濡らすことなくミスト運転が実施できる。
【００１３】
また、風向案内面部は、該風向案内面部の先端が器具本体の前面側縁から突出しない奥行きとされているので、加湿空気が風向案内面部により天面の前面側縁を舐めるようにして送風されるのを防止したため、器具本体の前面側縁を濡らすことなくミスト運転が実施できる。
【００１４】
また、ルーバーは、器具本体側に回動自在となるように設けられた平板部より構成された本体ルーバーと、本体ルーバーに着脱自在に設けられ、風向案内面部を有するアタッチメントルーバーとで構成されているので、本体ルーバーにアタッチメントルーバーを装着するだけで器具本体の前面側へ加湿空気を案内可能となるため、簡易に加湿空気を器具本体の前面側にある顔に対し、集中して多量に送風することが可能となる。
【図面の簡単な説明】
【００１５】
【図１】この発明の一実施形態の美容加湿装置を示す斜視図
【図２】同一実施形態の美容加湿装置とアタッチメントとが分離した状態を示す斜視図
【図３】同一実施形態の概略構成図
【図４】同一実施形態の制御ブロック図
【図５】同一実施形態の操作部を説明する図
【図６】同一実施形態のアタッチメントを説明する斜視図
【図７】同一実施形態のアタッチメントを説明する底面図
【図８】同一実施形態のルーバーに装着されたアタッチメントを説明する断面図
【図９】同一実施形態のアタッチメント装着時における加湿空気の風向を説明する断面図
【図１０】同一実施形態のアタッチメントの曲率と結露水の流動を説明する断面図
【図１１】この発明の従来例を説明する斜視図
【発明を実施するための形態】
【００１６】
次に、この発明の一実施形態における美容加湿装置を図に基づき説明する。
１は室内の空気清浄や加湿、人の顔に直接ナノミストと負イオンを当てて美顔する美容加湿装置の器具本体で、中央部には蓋体２に固定され吸引口３から吸引された室内空気を、中央で回転駆動するシロッコファンからなる送風ファン４へ案内する円筒状の案内筒５が備えられ、この案内筒５には、送風ファン４を覆うように送風ファン４下方まで垂下した送風筒６が設けられている。
【００１７】
７は前記案内筒５を覆った処理室、８は該処理室７の下部に設けられた円形椀状でアルミダイキャスト製の貯水室であり、該貯水室８には、給水タンク９がセットされた定水位室１０が通水路１１を介して連通しており、給水タンク９の高さ方向の落差で水を供給することで、貯水室８内が常時一定水位に保たれる。また、１２は定水位室１０内に設けられ、貯水室８及び定水位室１０に一定水位以上の貯水があるとき、水位有りを検知する水位検知信号を出力するフロートセンサである。
【００１８】
１３は貯水室８下方で貯水室８を支持する駆動モータであり、全周がカバー体１４で覆われ、器具本体１の底部を構成する基板１５に固定されており、さらにカバー体１４の外周壁に外方へ突出した樋状の流水溝１６を一周形成している。
【００１９】
１７は貯水室８の貯水に下部を水没させ、この貯水室８を貫通して送風ファン４を回転させる駆動軸１８に軸支された筒状の回転体であり、この回転体１７は中空逆円錐形で上方に向かって径が徐々に拡大するものであり、回転体１７が回転することによる回転の遠心力で貯水室８の貯水を汲み上げ、回転体１７の外壁および内壁を伝わせて押し上げて、回転体１７の外壁を伝わせて押し上げた貯水を周囲に飛散させると共に、回転体１７の内壁を伝わせて押し上げた貯水を回転体１７の上端に形成された複数の飛散口１９から周囲に飛散させるものである。
【００２０】
２０は回転体１７の上部外周に所定間隔を保持して位置し、回転体１７と共に回転する円筒状の多孔体で、この多孔体２０にはその全周壁に多数のスリットや金網やパンチングメタル等から成る多孔部２１が形成されており、前記駆動モータ１３、前記回転体１７及び前記多孔部２１でミスト発生部が構成されている。
【００２１】
前記ミスト発生部を構成する駆動モータ１３を駆動させ、回転体１７を回転させることで発生する遠心力で貯水室８内の水を汲み上げると共に空気を飛散させ、多孔部２１を通過した水滴が破砕されることで、水の粒子を微細化してナノメートル（ｎｍ）サイズのミストが生成すると共に、水の粒子の微細化によるレナード効果で負イオンを多量に発生させるものである。
【００２２】
２２は貯水室８外周を巻回して備えられ、貯水室８内の貯水を加熱する加熱ヒータであり、送風量が「強」に設定されると、貯水室８内の貯水温度を設定温度の３８℃前後に、送風量が「弱」に設定されると、貯水室８内の貯水温度を設定温度の３４℃前後に加熱保温して吹き出し温度を３０℃程度に保持するものであり、貯水室８の底部に設置され、貯水室８内の水の温度を検知する温度センサ２３の検知温度によって、加熱ヒータ２２がＯＮ／ＯＦＦされて所定温度に保持するもので、加熱ヒータ２２を強制的にＯＦＦにして貯水室８内の水を加温しないモードも設定可能としている。
【００２３】
２４は送風筒６や多孔体２０の下端と対向して貯水室８上面を覆った皿状の水流阻止手段で、中央部には回転体１７の挿通穴２５が形成されており、この挿通穴２５から外周に延びる支持片２６によって水面が区画されることで、回転体１７の回転方向の水流を阻止し、回転体１７の回転による遠心力の作用によって、容易に水が回転体１７内外周を上昇できるようにしたものである。
【００２４】
また、前記水流阻止手段２４は、外周から中央部の挿通穴２５に向かって緩やかに下り傾斜して形状によって、上方の送風筒６や多孔体２０で微細化されなかった比較的大粒の水滴を受けて、この水滴が直接貯水室８水面に落下して発生するバシャ、バシャという落下音も阻止することができ、水滴を滑らかに貯水室８へ戻すことができる。
【００２５】
２７は回転体１７と多孔体２０との回転により発生したナノミスト及び負イオンを含む加湿空気を送風ファン４を駆動させることで処理室７の上部方向へ案内する流通路、２８は器具本体１の天面３８上の前面側に形成され、前記流通路２７を流通する加湿空気を室内へ送風する送風口であり、流通路２７を上昇した加湿空気が、送風口２８から器具本体１と垂直な方向に向けて送風される。
【００２６】
２９は貯水室８と連通している通水路１１に備えられ、常時閉弁側に押圧されている排水弁で、給水タンク９が定水位室１０にセット（収納）されることで、図示しない圧縮バネによって常時押し上げられているロット３０が押し下げられて、ロット３０の下端が係止金具３１をロックして排水弁２９が閉弁状態とされ、給水タンク９がセットされている時は貯水室８内の残水の排水を確実に阻止するものであり、給水タンク９が所定の収納場所から取り外されると、ロット３０が圧縮バネによって上方に押し上げられ、係止金具３１のロックが解除されて、排水弁２９は開弁可能な状態になる。
【００２７】
３２は貯水室８内の残水の排水を受ける上面開放の排水トレーで、器具本体１内に出し入れ自在に備えられ、正面には手掛け部３３が形成されており、その容積は貯水室８の残水を十分に収容できる大きさとしているものである。また、この排水トレー３２は内方後方に突出壁３４が形成され、排水レバー３５が下げられると係止金具３１が排水弁２９を押圧して開弁させ、その時、排水レバー３５の下端が突出壁３４より下方で且つ外側に位置し、排水中に排水トレー３２が抜き取られるのを突出壁３４と排水レバー３５とが係合することで防止でき、排水が終了し排水レバー３５を引き上げて元に戻せば、係止金具３１の押圧が解除されて排水弁２９は閉弁されるので、使用者は、排水トレー３２を容易に引き抜くことができ、中に溜められた排水を台所等の排水口に排水できる。
【００２８】
３６は駆動軸１８が貫通した貯水室８とカバー体１４との間の駆動軸１８途中に備えられた傘状の遮蔽板で、貯水室８から漏れた水が駆動軸１８部分を伝わって駆動モータ１３内に浸入するのを防止するものである。
【００２９】
３７は給水タンク９の給水口キャップで、図示しない内装した弁機構が固定された支持部で押し上げられることで、給水タンク９から定水位室１０に給水されるものである。また、３８は器具本体１の上部を構成する天面、３９は蓋体２を着脱するための持ち手、４０は送風口２８の上部に設置され、上下方向に回動自在で室内に送風される加湿空気の風向調節及び送風有無が調節可能な本体ルーバーである。
【００３０】
前記本体ルーバー４０は、器具本体１の幅方向の両端を構成する側面板に図示しない回転軸が設置され、この回動軸位置から平板状に延伸して設けられた平板部４１によって形成されており、前記側面板に形成された図示しない回動軸によって、本体ルーバー４０が天面３８と平行な方向に対して０°、３０°、６０°、９０°の４段階で係止し、本体ルーバー４０の角度を変化させることで加湿空気を所望の方向へ送風させることができる。
【００３１】
４２は本体ルーバー４０が６０°もしくは９０°で係止した時に装着可能な着脱自在のアタッチメントルーバーであり、アタッチメントルーバー４２は、側面板と平行な位置で装着可能な下部装着面部４３と、本体ルーバー４０の上面側と平行な位置で装着可能な上部装着面部４４と、該上部装着面部４４に対して約１１０°だけ角度を付けて形成され、幅方向の中央から両端へ向かって下り傾斜したアーチ形状の風向案内面部４５とで構成されている。
【００３２】
また、前記風向案内面部４５は曲率が所定値である１／１２０よりも大きく１／９０以下となるように形成されたアーチ形状であり、本体ルーバー４０が所定位置である６０°で係止した状態でアタッチメントルーバー４２が装着された時、風向案内面部４５は本体ルーバー４０の平板部４１の先端から器具本体１の前面側に向けて屈曲されて形成されている。
【００３３】
更に、風向案内面部４５が器具本体１の前面側に最も近づく本体ルーバー４０が６０°で係止した状態でアタッチメントルーバー４２を装着した時、天面３８の前面側縁４６から風向案内面部４５の先端が突出しない奥行きとなるように形成した。
【００３４】
４７は器具本体１の前面に備えられ複数のスイッチが設置された操作部であり、この操作部４７には、駆動モータ１３を駆動させて送風ファン４及び回転体１７を回転駆動し、室内に微細化したミストを送風するミスト運転を開始する運転スイッチ４８と、駆動モータ１３の回転数を変化させて送風口２８からの送風量を「強」と「弱」に設定可能な風量スイッチ４９と、加熱ヒータ２２によって貯水室８内の水を所定温度まで高める温ミスト運転を行う温ミストスイッチ５０と、運転開始から１時間または２時間経過後に駆動モータ１３を駆動停止させ、ミスト運転を停止させる切タイマースイッチ５１とが備えられており、各スイッチが操作されたら、各スイッチの上部に設置された所定のランプを点灯させる。
【００３５】
５２は前記操作部４７からの入力信号や、温度センサ２３及びフロートセンサ１２の検知信号を受けて、加熱ヒータ２２及び駆動モータ１３の動作を制御する制御部であり、この制御部５２には、ミスト運転時の送風量の強弱によって変化する設定温度となるよう加熱ヒータ２２の出力を制御するヒータ制御手段５３と、ミスト運転時の送風量の強弱によって変化する設定風量となるよう駆動モータ１３の出力を制御するモータ制御手段５４と、ミスト運転中にフロートセンサ１２が水位無しを検知した場合、加熱ヒータ２２および駆動モータ１３の駆動を停止させ、前記操作部４７に設置された給水ランプ５５を点灯させ、ミスト運転を停止させてエラーを報知するエラー停止手段５６とが備えられている。
【００３６】
次に、アタッチメントルーバー４２による加湿空気の風向と結露水の滴下防止構造について詳述する。
まず、図８で示すように、本体ルーバー４０を６０°の位置で係止させた状態でアタッチメントルーバー４２の下部装着面部４３を本体ルーバー４０の側面板に対して平行に差し込むことにより、本体ルーバー４０にアタッチメントルーバー４２を装着することができる。
【００３７】
本体ルーバー４０にアタッチメントルーバー４２を装着した後、運転スイッチ４８が操作されると制御部５２は、駆動モータ１３が所定の回転数となるようモータ制御手段５４で調節して駆動させることで、ナノミストと負イオンを含んだ加湿空気を貯水室８で発生させ、貯水室８から流通路２７を経て送風口２８に案内された加湿空気が図９の破線で示すように天面３８と垂直な方向へ送風される。
【００３８】
送風口２８から天面３８と垂直な方向に送風された加湿空気は、送風口２８と略平行な位置関係にある風向案内面部４５まで達すると、図９で示すように風向が屈曲されて天面３８と平行な方向へ案内される。これにより、器具本体１の前面側に対して集中的に加湿空気を送風することができるため、器具本体１の前面側で天面３８と平行な位置にある送風口２８付近に顔を近づけると加湿空気が集中して当たり続け、ナノミストと負イオンを肌に浸透させることができる。
【００３９】
また、図１０で示すように、アタッチメントルーバー４２の風向案内面部４５を曲率が１／１２０よりも大きく１／９０以下の範囲であるアーチ形状で形成したことで、送風口２８から送風された加湿空気が風向案内面部４５に当たり続けることで結露水が付着しても、表面張力と重力の関係で結露水が滴下する前に風向案内面部４５の斜面に沿って両端側に流動し、送風口２８内へ結露水が流れ落ちて回収されるため、風向案内面部４５から天面３８に直接滴下して濡れることがない。
【００４０】
更に、本体ルーバー４０が６０°で係止した状態でアタッチメントルーバー４２が装着された時、天面３８の前面側縁４６から突出しない奥行きとなるように風向案内面部４５を形成して、風向案内面部４５から天面３８に降下する加湿空気の量を減少させたことで、風向案内面部４５から前面側縁４６を舐めるように案内される加湿空気の量が減少するため、加湿空気によって天面３８の前面側縁４６付近が濡れにくくなる。
【００４１】
以上のように、本体ルーバー４０上にアタッチメントルーバー４２を装着した状態でミスト運転を実施すると、送風口２８から天面３８と垂直な方向へ送風された加湿空気が風向案内面部４５によって天面３８と平行な方向に案内され、器具本体１の前面側に多量の加湿空気が送風されることで、器具本体１の前面側て天面３８と平行な位置にある送風口２８付近に顔を近づけた状態でミスト運転を実施すると、加湿空気を顔に対して集中的に当て続けることができるため、ナノミストと負イオンを含んだ加湿空気を効率的に肌へ浸透させ、肌にハリ感を出すことができる。
【００４２】
また、風向案内面部４５を曲率が１／１２０よりも大きく１／９０以下のアーチ形状にしたので、アタッチメントルーバー４２に付着した結露水を風向案内面部４５の両端に案内して送風口２８内に回収することができるため、風向案内面部４５から結露水が滴下することを防止でき、器具本体１の天面３８を濡らすことがない。
【００４３】
また、風向案内面部４５が器具本体１の最も前面側に近づく位置となる本体ルーバー４０が６０°で係止した状態でアタッチメントルーバー４２が装着された時、前面側縁４６から風向案内面部４５の先端が突出しない奥行きに形成したことで、風向案内面部４５から器具本体１の前面側に送風された加湿空気が前面側縁４６を舐めるようにして通過するのを防止できるため、天面３８の前面側縁４６付近を濡らすことがない。
【００４４】
なお、本実施形態で用いたアタッチメントルーバー４２が装着可能な本体ルーバー４０の角度や風向案内面部４５の曲率等は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４５】
１    器具本体
４    送風ファン
８    貯水室
１３    駆動モータ
１７    回転体
１８    駆動軸
２０    多孔体
２８    送風口
３８    天面
４０    本体ルーバー
４１    平板部
４２    アタッチメントルーバー
４５    風向案内面部
４６    前面側縁
５２    制御部
【図１】
2015108483.tif 000003
【図２】
2015108483.tif 000004
【図３】
2015108483.tif 000005
【図４】
2015108483.tif 000006
【図５】
2015108483.tif 000007
【図６】
2015108483.tif 000008
【図７】
2015108483.tif 000009
【図８】
2015108483.tif 000010
【図９】
2015108483.tif 000011
【図１０】
2015108483.tif 000012
【図１１】
2015108483.tif 000013